【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
カードを収容し得るハウジングと、該ハウジングに前記カードが収容されたときに前記カードと接触し得る端子と、前記ハウジング内を前記カードの挿抜方向に沿ってスライド可能に設けられたカード載置用のイジェクト部材と、該イジェクト部材を前記カードの抜出方向に向かって付勢するばね部材と、を有するコネクタであって、前記イジェクト部材が前記ばね部材によって前記カードの抜出方向に付勢されたときに前記イジェクト部材の抜出側部を前記カードの抜出側に向かって下方に傾ける傾斜手段を有することを特徴とするコネクタ。
【請求項２】
前記傾斜手段は、互いに当接し得る前記イジェクト部材の一部又は前記ハウジングの一部の少なくともいずれか一方に形成された傾斜面である請求項１記載のコネクタ。
【請求項３】
前記ハウジングの一部は、前記カードの挿抜方向沿いの前記カードの挿入側で前記イジェクト部材に対向して配置され、且つ、前記カードの挿抜方向に沿って前記カードの挿入側に向かって下方に傾斜した、傾斜面である請求項２記載のコネクタ。
【請求項４】
前記ハウジングの傾斜面は、前記ばね部材と当接する前記イジェクト部材の当接部の裏側に、対向して配置されている請求項３記載のコネクタ。
【請求項５】
前記ハウジングの傾斜面は、カードの挿抜方向に沿って設けた前記イジェクト部材の側壁の、前記カードの抜出側の後端面に、対向して配置されている請求項３記載のコネクタ。
【請求項６】
前記ハウジングの上面と側面の少なくとも一部を覆って前記ハウジングとともにカード収容空間を形成するカバーを更に備え、前記傾斜手段は、互いに当接し得る前記イジェクト部材の一部又は前記カバーの一部の少なくともいずれか一方に形成された傾斜面である請求項１記載のコネクタ。
【請求項７】
前記カバーの一部は、前記カードの挿抜方向に沿って前記カードの抜出側に向かって下方に傾斜した傾斜面とされており、これに対応して、カードの挿抜方向に沿って設けた前記イジェクト部材の側壁の、前記カードの抜出側の上面に、前記カードの挿抜方向に沿って前記カードの抜出側に向かって下方に傾斜した傾斜面が設けられている請求項６記載のコネクタ。
【請求項８】
前記カバーの傾斜面は、前記ハウジングの上面を覆う前記カバーの一部を略９０度折り曲げることによって形成した略半円状の舌片である請求項７記載のコネクタ。
【請求項９】
前記カバーの傾斜面は、前記ハウジングを覆う前記カバーの一部を折り曲げた板面を傾斜させることによって形成した略平板状の舌片である請求項７記載のコネクタ。
【請求項１０】
前記イジェクト部材の底面の、前記カードの挿抜方向沿いの前記カードの挿入側に、前記ハウジングの底面側に突出して前記ハウジングの底面と接触し得る弾性手段が設けられている請求項１乃至９のいずれかに記載のコネクタ。
【請求項１１】
前記イジェクト部材の底面の、前記カードの挿抜方向沿いの前記カードの抜出側に、前記カードの抜出側から前記カードの挿入側に向かって前記ハウジングの内部に突出する略三角形状のカード係合部が設けられている請求項１乃至１０のいずれかに記載のコネクタ。
【請求項１２】
前記ハウジングの前記カード挿入口付近における底面の厚みが前記ハウジングの内部よりも薄い請求項１乃至１１のいずれかに記載のコネクタ。
【手続補正２】
【補正対象書類名】明細書
【補正対象項目名】全文
【補正方法】変更
【補正の内容】
【発明の詳細な説明】
【発明の名称】カード用コネクタ
【技術分野】
【０００１】
本発明は、カード用コネクタ、特に、カードの挿入性を向上させた、プッシュ・プッシュ型のイジェクト機構付きカード用コネクタに関する。
【背景技術】
【０００２】
上記タイプのコネクタとして、例えば、特開２０００−１４８９２７号に開示されているコネクタがある。このコネクタは、コネクタにカードを装着するために、本体外部に飛び出したトレイの上にカードの底面全体と側面全体を包囲するように配し、また、カードを取り除く構造を使用する。明らかなように、この構造では、カードの挿入性は、主に、本体外部へのトレイの飛び出し状態によることとなる。
【０００３】
【特許文献１】特開２０００−１４８９２７号
【発明の開示】
【発明が解決しようとする課題】
【０００４】
このような従来構造に対し、本願のカード用コネクタでは、トレイの代わりにプレート部を有するイジェクターを使用するものであり、このイジェクターは、装置の小型化等のため、コネクタの外部に飛び出す構造とはされておらず、カードを載置した状態でコネクタの内部でスライドする構造とされている。このため、カードの挿入性を向上させるには、例えば、カードの挿入口を大きくするなどする必要がある。本願発明はこのような問題点を解決するためになされたものであり、カードの挿入性を向上させたカード用コネクタを提供することを目的とする。
【課題を解決するための手段】
【０００５】
本発明は、カードを収容し得るハウジングと、該ハウジングに前記カードが収容されたときに前記カードと接触し得る端子と、前記ハウジング内を前記カードの挿抜方向に沿ってスライド可能に設けられたカード載置用のイジェクト部材と、該イジェクト部材を前記カードの抜出方向に向かって付勢するばね部材と、を有するコネクタであって、前記イジェクト部材が前記ばね部材によって前記カードの抜出方向に付勢されたときに前記イジェクト部材の抜出側部を前記カードの抜出側に向かって下方に傾ける傾斜手段を有することを特徴とし、上記コネクタにおいて、前記傾斜手段は、互いに当接し得る前記イジェクト部材の一部又は前記ハウジングの一部の少なくともいずれか一方に形成された傾斜面であってもよい。
【０００６】
上記コネクタにおいて、前記ハウジングの一部は、前記カードの挿抜方向沿いの前記カードの挿入側で前記イジェクト部材に対向して配置され、且つ、前記カードの挿抜方向に沿って前記カードの挿入側に向かって下方に傾斜した、傾斜面であってもよい。
【０００７】
また、上記コネクタにおいて、前記ハウジングの傾斜面は、前記ばね部材と当接する前記イジェクト部材の当接部の裏側に、対向して配置されていてもよいし、また、カードの挿抜方向に沿って設けた前記イジェクト部材の側壁の、前記カードの抜出側の後端面に、対向して配置されていてもよい。
【０００８】
また、本発明は、カードを収容し得るハウジングと、該ハウジングに前記カードが収容されたときに前記カードと接触し得る端子と、前記ハウジング内を前記カードの挿抜方向に沿ってスライド可能に設けられたカード載置用のイジェクト部材と、該イジェクト部材を前記カードの抜出方向に向かって付勢するばね部材と、を有するコネクタであって、前記イジェクト部材が前記ばね部材によって前記カードの抜出方向に付勢されたときに前記イジェクト部材の抜出側部を前記カードの抜出側に向かって下方に傾ける傾斜手段を有することを特徴とし、前記コネクタは、更に、前記ハウジングの上面と側面の少なくとも一部を覆って前記ハウジングとともにカード収容空間を形成するカバーを備え、前記傾斜手段は、互いに当接し得る前記イジェクト部材の一部又は前記カバーの一部の少なくともいずれか一方に形成された傾斜面であってもよい。
【０００９】
上記コネクタにおいて、前記カバーの一部は、前記カードの挿抜方向に沿って前記カードの抜出側に向かって下方に傾斜した傾斜面とされており、これに対応して、カードの挿抜方向に沿って設けた前記イジェクト部材の側壁の、前記カードの抜出側の上面に、前記カードの挿抜方向に沿って前記カードの抜出側に向かって下方に傾斜した傾斜面が設けられていてもよい。
【００１０】
また、上記コネクタにおいて、前記カバーの傾斜面は、前記ハウジングの上面を覆う前記カバーの一部を略９０度折り曲げることによって形成した略半円状の舌片であってもよいし、前記ハウジングの側面を覆う前記カバーの一部を折り曲げた板面を傾斜させることによって形成した略平板状の舌片であってもよい。
【００１１】
更に、上記コネクタにおいて、前記イジェクト部材の底面の、前記カードの挿抜方向沿いの前記カードの挿入側に、前記ハウジングの底面側に突出して前記ハウジングの底面と接触し得る弾性手段が設けられていてもよい。
また、上記コネクタにおいて、前記イジェクト部材の底面の、前記カードの挿抜方向沿いの前記カードの抜出側に、前記カードの抜出側から前記カードの挿入側に向かって前記ハウジングの内部に突出する略三角形状のカード係合部が設けられていてもよい。
また、上記コネクタにおいて、前記ハウジングの前記カード挿入口付近における底面の厚みが前記ハウジングの内部よりも薄くてもよい。
【発明を実施するための最良の形態】
【００１２】
図１乃至図４に、本発明の好ましい一実施形態によるカード用コネクタを示す。このコネクタは、カード自体を押圧することでイジェクト機構を操作して該カードを自由に挿抜することができる、いわゆるプッシュ・プッシュ型のイジェクト機構を有する。
【００１３】
図１は、本発明によるコネクタの斜視図である。図２は、このコネクタからカバーを取り除いた状態を示す斜視図、図３は、このコネクタの分解斜視図である。また、図４は、カード挿入時におけるコネクタの内部状態を示した上面図である。尚、カード３としては、例えば、ｍｉｎｉＳＤやｍｉｃｒｏＳＤを使用することができ、ここでは一例として、ｍｉｃｒｏＳＤを使用するものとした。
【００１４】
コネクタ１は、主に、樹脂等の絶縁材で製造されたハウジング１０と、このハウジング１０に収容される端子２０、イジェクター５０、ピン６０、スプリング７０、更に、ハウジング１０の上部を覆う金属製のカバー３０から成る。例えば、ハウジング１０の上面と側面の一部をカバー３０で覆うことにより、ハウジング１０とカバー３０によってカードを収容し得る収容空間を形成することができる。但し、筐体等を利用して上方側を規制することもできるため、カバー３０は必ずしも必要ではなく、収容空間をハウジング１０だけで形成してもよい。所要部品をハウジング１０に組み込んだ後、カバー３０で上部に蓋をすることにより、後方のカードの抜出側のみが実質的に開放状態とされたコネクタが形成される。ハウジング１０とカバー３０は、例えば、ハウジング１０の穴１１にカバー３０の側壁に設けた圧入部３１を圧入すること等によって固定することができる。
【００１５】
ハウジング１０の前面に端子２０を配列させる端子固定穴１４が複数並列に設けられている。端子２０は、ハウジング１０の前側から組み込まれ、それらの各端部において端子固定穴１４に圧入固定される。カード３がコネクタ１に挿入されたとき、端子２０は、それらの先端部付近に形成された湾曲した端子接点２２において、カード３の底面側に設けた対応する端子部（図示されていない）とそれぞれ接触し得る。端子接点２２は、これらの接触状態に応答して、端子溝２４を通じて所定量だけ下方に弾性変位され得る。
【００１６】
ハウジング１０の後方内部に金属製のイジェクター５０が設けてある。イジェクター５０は、ハウジング１０の内部において、常時、ハウジング１０の少なくとも一方の内壁１８に当接し、また、ハウジング１０の底面２１から多少浮いた状態で支持される。また、イジェクター５０は、カード３を上部に載せた状態で、カードの挿抜方向に沿ってハウジング１０内をスライド移動する。スライド方向（カードの挿抜方向）におけるイジェクター５０の大きさは、カード３の全長より小さく、例えば、図示のように、カード３の中間付近のみを保持するような大きさであってもよい。このような大きさとすることにより、コネクタ全体の外形寸法を小さくすることができる。イジェクター５０は、例えば、図４のａ）に示す位置（抜出位置）と図４のｂ）に示す位置（ロック位置）の間で循環する。図４のａ）は、カード３をイジェクター５０に単に載せた状態、或いは、カード３をハウジング１０から抜き出す直前の状態を示し、このときカード３と端子２０の接触は解除された状態にある。一方、図４のｂ）は、カード３をハウジング１０内に力を加えて押し込んだ後に抜力して若干戻り、所定位置にロックした状態を示し、このときカード３と端子２０は接触された状態にある。
【００１７】
イジェクター５０は、一枚の薄い金属板を、打ち抜き、折り曲げ等することによって形成することもできるし、別部材として形成した部品をつなぎあわせることによって形成することもできる。イジェクター５０は、カード３の挿抜方向と直交する方向において、ハウジング１０の幅方向にわたってプレート部９０を有する様に拡張された板状態とされている。イジェクター５０の幅方向における両側に、ハウジング１０の底面２１に対して垂直方向に伸びる側部、即ち、カード当接部５９と側壁５１が形成されている。カード当接部５９はハウジング１０の底面２１上の板状の本体からスライド方向に対して傾斜して垂立し、先端側は折り返されてスライド方向に沿った板壁部５９'、更にその端に側方に突出したスプリング当接部５８等が設けてある。側壁５１は、コネクタ１の前方に進むに従って狭幅となるように、カード当接部５９の側に向かって変位されており、水平方向（幅方向）において弾性変形可能である。該側壁５１の内壁１８側には凸状のリブが設けられており、イジェクター５０のスライド移動を円滑に保つ。カード３がイジェクター５０に載置されたとき、カード３はプレート部９０上においてカード当接部５９及び板壁部５９'と側壁５１の間に位置付けられ、側壁５１の働きによってそれらの間に狭持される。この狭持構造は、カードの飛び出し防止効果を向上させる。
【００１８】
ハウジング１０内におけるイジェクター５０の後方への移動やハウジング１０内からのイジェクター５０の抜け落ちは、イジェクター５０のプレート部９０の幅方向における一方の側に設けた側壁の後端面５５とハウジング１０の幅方向における一方の側の内方突出面１６とを当接させることや、スプリング当接部５８の裏側８２とハウジングの面（後述する傾斜面８０）、及び、ピン６０のカム溝６６内への係合等によって規制される。一方、ハウジング１０内におけるイジェクター５０の前方への移動は、イジェクター５０の幅方向における他方の側の中央付近にて側方に突出したスプリング当接部５８とハウジング１０の幅方向における他方の側に設けたスプリング７０の後面とを当接させること、及び、ピン６０のカム溝６６内への係合等によって規制される。スプリング７０の前面は、スプリング７０の内部に支持棒１９を挿入した状態で、ハウジング１０の前側内壁１５に当接される。スプリング７０によって発生された弾力をスプリング当接部５８で受けることにより、イジェクター５０には、常に、ハウジング１０の後方に向かって、つまり、コネクタからカード３を抜き出す方向に力が加えられる。
【００１９】
コネクタ１へカード３を挿入したとき、カード３はイジェクター５０のプレート部９０上を摺動し、カード３はその略中央付近でイジェクター５０に位置決めされ且つ係合される。位置決めを行うため、カード３の幅方向における一方の側に、前側から後方に向かって幅広とした傾斜面２５を形成し、これに対応して、イジェクター５０のカード当接部５９を傾斜面としてある。位置決めと同時に係合させるため、カード３の傾斜面２５よりも更にカードの抜出側に近い側に、幅方向において内側に引っ込んだ凹部２６を形成し、これに対応して、イジェクター５０に、この凹部２６に係合されるカード係合部５６を設けている。カード係合部５６は、例えば、カードの挿抜方向沿いのカードの抜出側で、イジェクター５０の幅方向における一方の側のプレート部９０を垂立させ、その頂部を折り曲げることによって、後方から前方に向かって（カードの抜出側からカードの挿入側に向かって）、急勾配を有する略垂直三角形状に形成されており、イジェクター５０の底面の下方に引っ込み可能な状態でハウジングの内部に弾性突出している。コネクタにカード３が挿入されると、カード係合部５６はカード３と衝突してカードの挿抜方向とカードの幅方向の双方に直交する方向に変位され、これによってカード３の挿入を許し、カード３の凹部２６に達したときにそれと係合する。
【００２０】
コネクタ１へカード３を挿入したとき、カード３の傾斜側面２５は、カード係合部５６を下方に弾性変位させつつハウジング１０の内部へ進み、次いで、凹部２６がカード係合部５６の位置に達したときに、カード係合部５６は弾性変位前の位置に戻って凹部２６にパチンと嵌まる。このとき、側壁５１の弾性によってカード３の傾斜側面２５とカード当接部５９は当接状態にあり、したがって、カード３はイジェクター５０のプレート部９０上に軽く係止されるとともに位置決めされる。カード係合部５６によるこのカード３の係止は、カード３をコネクタ１の後方側へ所定の力で引き離すように引っ張ることによって簡単に解除できる。係止がより有効に働くように、言い換えれば、カード係合部５６の変位がよりスムーズに行われるように、カード係合部５６の横側にイジェクター５０のスライド方向に沿ってプレート部９０に補助用の切欠５４を設け、カード係合部５６がプレート部９０の周辺部分を含めて変位されるようにしてもよい。切欠５４を設けることにより、切欠５４でイジェクター５０のプレート部９０自体を上下方向に弾性変位可能として、カード係合部５６の変位方向を補助することができる。
【００２１】
カード係合部５６によるカードの係止は、カード３をコネクタ１から通常のプッシュ動作でイジェクトする際にカードの飛び出しを防止するには有効である。従来、カードの飛び出しは、例えば、カバーに設けたカード押さえばねによって、片側、つまり、上方位置からカードを下方に押さえ込むことによって、つまり、押さえばね４０とカード表面の摩擦によって防止されていた。コネクタ１にも、従来と同様の押さえばね４０が設けてある。これらの押さえばね４０は、例えば、カバー３０の上板の一部に切り込みを入れることによって形成された、コネクタ１へカード３を挿入する方向に延びる自由端を、コネクタ１の前方に向かって下側に傾斜するように折り曲げ、加工することによって形成できる。しかしながら、例えば、スプリング７０の力が強すぎる場合或いは、カードを押した指がすべってロックが急激に解除された場合などには、押さえばね４０や上述した係止機構によっては、カードの飛び出しを完全には防止することができない。カードの飛び出しをより確実に防止するように力を調整する必要がある。ここでは、弾性片として形成した飛び出し防止ばね５２をイジェクター５０の底面からハウジング１０の底面２１側に、該底面２１と接触し得るように突出状態で設け、これに対応して、飛び出し防止ばね５２の弾性部分、特にカードの挿抜方向沿いのカードの挿入側に設けた、その先端部５３付近における変位を許容し、解放状態とする逃げ空間（１２）をハウジング１０の底面２１に設けることによって、イジェクタ−５０が挿入側に位置するときには、飛び出し防止ばねはイジェクター５０に対して特に作用しないが、抜出側に移動したときには、イジェクター５０の挿入側を上方に向けて持ち上げる方向の力を発生させるので、イジェクター５０の抜出側は下方に傾く力を受ける。
【００２２】
イジェクター５０の側面前方に、イジェクター５０の幅方向における一方の側に突出させた状態で、ピン固定穴４８を設けている。ピン６０は、このピン固定穴４８に、そのイジェクター固定部６２を引っ掛けた状態で軽く係止される。ピン６０はイジェクター５０に係止されているから、イジェクター５０に連動してハウジング１０内を前後に移動し、この結果、ピン６０の先端部を直交方向に延ばして設けたハートカム係止部６１は、カードの挿抜方向沿いに形成されたハートカム機構６４のカム溝６６の上を摺動する。カム溝６６は、中央のハート型島部６７の周囲にハート上に形成されている。ハートカム機構自体の構造は、従来一般に使用されているものと同じであるからここでは詳説しない。
【００２３】
カム溝６６の上を摺動するピン６０の浮き上がりを防止してピン６０をカム溝の上に保持し、その動作をコントロールするため、カバー３０の一部を加工することによって第１押さえばね３２、第２押さえばね３４を形成している。これら第１押さえばね３２、第２押さえばね３４は、それぞれ、例えば、カバー３０の上板に切り込みを入れることによって形成された、コネクタ１へカード３を挿入する方向に延びる自由端を、コネクタ１の前方に向かって下方に傾斜させるように折り曲げ、加工することによって形成できる。
【００２４】
次に、図５乃至図７を参照して、カードの挿入性を向上させる構造を説明する。
【００２５】
図５に示すように、カードの挿入性を向上させるための第１の手段として、ハウジング１０に傾斜面８０を設けている。傾斜面８０は、カードの挿抜方向沿いのカードの挿入側で、イジェクター５０のスプリング当接部５８の裏側８２に対向して配置されており、また、カードの挿抜方向に沿ってカードの挿入側に向かって下方に傾斜した状態で設けられている。図５は、これら傾斜面８０とスプリング当接部裏側８２の位置関係を、カードの挿抜方向に沿って一部拡大横面図として示したものである。この図は、上述した図４のａ）に示す状態に概ね対応するものと考えてよい。
【００２６】
図５のａ）に示すように、イジェクター５０が、スプリング７０の働きによって図示矢印ア方向に荷重を受け、スプリング当接部５８を通じてハウジング１０の傾斜面８０側に押し付けられると、先ず、スプリング当接部裏側８２の下部８４が、ハウジング１０の傾斜面８０の下部先端付近に当接することから、スプリング７０の荷重は下部８４において制限され、その後、上部８６が傾斜面８０に押し付けられるように傾くことになる。この結果、図５のｂ）に示すように、イジェクター５０はプレート部をカードの抜出側において、下方（図示矢印イの方向）に傾け、図５のａ）に示す状態よりも上下方向において、カバー３０とイジェクターのプレート部９０で構成されるカードの挿入口は広くなる。また、この場合、イジェクター５０のプレート部９０の面は、カードの案内面として利用できる。これらの構成により、カードの挿入性を向上させることができる。尚、ハウジングの底面２１に、抜出側に向かって下方に向かうテーパあるいは段差を設けることで、イジェクターの傾きは容易に大きくすることができる。尚、カード３を挿入口から挿入するにあたり、例えば、図５のｂ）に示したカード３の裏面に貼り付けた絶縁シール４が挿入口のエッジ８７、或いはプレート部９０の端部と接触して剥がれてしまう危険があるが、挿入口を広くすることによって、そのような危険を減らすこともできる。
【００２７】
傾斜面８０に加えて、更に、例えば、ハウジング１０の内方突出面１６に、上述した傾斜面８０と同様の傾斜面（図示せず）を設けてもよい。この傾斜面（図示せず）は、カードの挿抜方向沿いのカードの抜出側で、カードの挿抜方向に沿って設けたイジェクト部材５０の側壁の、カードの抜出側の後端面５５に、対向して配置される。内方突出面１６に同様の傾斜面を設けることにより、カード挿入口の左右両側でイジェクター５０を下方に傾けることができる。
【００２８】
カードの挿入性を向上させるための第２の手段として、図６に示すように、イジェクター５０の側壁５１とカバー３０の一部との当接を用いてもよい。図６は、この第２の手段による一実施例を示す図であって、側壁５１とカバー３０の一部の位置関係を一部拡大横面図として示したものである。この実施例では、ハウジング１０の上面を覆うカバー３０の一部を略９０度下方に折り曲げることによって端部の外周が略半円状の舌片９１を設け、この舌片９１に、カードの挿抜方向沿いのカードの抜出側に向かって下方に傾斜する傾斜面９５を形成し、更に、これに対応して、カードの挿抜方向に沿って設けたイジェクター５０の側壁５１の、カードの抜出側の上面に、カードの挿抜方向に沿ってカードの抜出側に向かって下方に傾斜する傾斜面９０を設けている。スプリングの荷重を受けて、イジェクター５０が、図示矢印ウ方向に押し付けられると、カバー３０の傾斜面９５とイジェクター５０の傾斜面９０が当接し、この結果、イジェクター５０は、カードの抜出側に向かって下方に傾き、カードの挿入口を上下方向において広くする。尚、カバー３０の舌片９１とイジェクター５の側壁５５の両方に傾斜面を設ける好適な手段を示したが、一方のみに傾斜面を設けてもよい。又、「傾斜面」とは、平面のみを意味するのではなく、舌片９１の様に曲面であってもよい。
【００２９】
図７に、第２の手段の他の実施例を示す。他の実施例は、図６の実施例における舌片９１を、テーパ付けした舌片９３に置き換えたものである。その他の構成は、図６の実施例と同様と考えてよい。舌片９３は、舌片９１と異なり、ハウジング１０の側面を覆うカバー３０の一部をカードの挿抜方向に沿ってカードの抜出側に向かって下方に傾斜するようにテーパ付けした状態で略９０度水平に折り曲げることによって形成されている。スプリングの荷重を受け、イジェクター５０が、図示矢印ウ方向に押し付けられると、舌片９３と傾斜面９０が当接し、この結果、イジェクター５０はカードの抜出側に向かって下方に傾き、カードの挿入口を上下方向において広くする。故に、カードの挿入性を向上させることができる。前述の実施例は舌片９１の端部の外周に傾斜面を形成したが、本実施例では、舌片９３の板面を傾斜面としたので、傾斜面を広く確保できる。
【００３０】
尚、舌片９３はカバー３０の側面から延びる様に形成したが、上面から下方に向けて延ばして、水平に折り曲げてもよい。また、上述した飛び出し防止ばね５２は、ハウジング１０の底面２１に常時当接され押し付けられた状態とされていることから、これら飛び出し防止ばね５２の働きによって、イジェクター５０は、カードの挿入側において常時上方に持ち上げられ、カードの抜出側に向かって下方に傾いている。この結果、挿入口は広くなり、カードの挿入性は向上する。
【００３１】
また、イジェクター５０に設けたカード係合部５６は、カード挿入時に、カードとの接触を通じてイジェクター５０をカードの抜出側に向かって下方に傾けることから、挿入口は広くなり、この働きによっても、カードの挿入性は向上する。
【００３２】
更に、特に図示しないが、ハウジング１０のカードの挿入口付近における底面２１の厚みを、その内部より薄く形成することによって（一部を取り除くことによっても薄くすることができる）、イジェクター５０を、カードの抜出側に向かって下方に傾けて、カードの挿入性を向上させることもできる。
【００３３】
以上の構成によれば、イジェクターを用いてカードの挿入性を向上させることができるカード用コネクタを提供することができる。
【産業上の利用可能性】
【００３４】
本発明は、イジェクト機構付きメモリーカード用コネクタに幅広く適用することができる。
【図面の簡単な説明】
【００３５】
【図１】本発明によるコネクタの斜視図である。
【図２】図１のコネクタからカバーを取り除いた状態を示す斜視図である。
【図３】図１のコネクタの分解斜視図である。
【図４】メモリーカード挿入時におけるコネクタの内部状態を示した上面図である。
【図５】カードの挿入性を向上させるための第１の手段を示す図である。
【図６】カードの挿入性を向上させるための第２の手段の１つの実施例を示す図である。
【図７】カードの挿入性を向上させるための第２の手段の他の実施例を示す図である。
【符号の説明】
【００３６】
１ コネクタ
３ カード
４ 絶縁シール
１０ 絶縁ハウジング
１１ 穴
１２ 貫通穴
１３ 段差部
１４ 端子固定穴
１５ 前側内壁
１６ 内方突出面
１７ 後方側面
１８ 内壁
１９ 支持棒
２０ 端子
２１ 底面
２２ 端子接点
２４ 端子溝
２５ 傾斜側面
２６ 凹部
３０ カバー
３１ 圧入部
３２ 第１押さえばね
３３ 先端部
３４ 第２押さえばね
３６ 張出部
３７ 先端部
３８ 誘い込み部
４０ 押さえばね
４３ ピン抜け防止リブ
４８ ピン固定穴
５０ イジェクター
５１ 側壁
５２ 飛び出し防止ばね
５３ 先端部
５４ 補助用切込み部
５５ 後端面
５６ カード係合部
５８ スプリング当接部
５９ カード当接部
６０ ピン
６１ ハートカム係止部
６２ イジェクター固定部
６４ ハートカム機構
６６ カム溝
６７ ハート型島部
６８ 傾斜
７０ スプリング
７２ 端部
８０ 傾斜面
９０ プレート部